(57)【要約】【課題】「Ｔｉｍｅ  ａｎｄ  Ｒａｔｅ」方式のＥＵＬ通信において、各スケジューリング割り当て区間におけるスケジューリング対象の移動局ＵＥに対して適切なスケジューリング許可情報を通知する。【解決手段】本発明に係る無線基地局ＮｏｄｅＢは、「Ｔｉｍｅ  ａｎｄ  Ｒａｔｅ」方式のＥＵＬ通信において、次のスケジューリング区間におけるスケジューリング対象の移動局に対して通知すべきＳＧの決定時の無線基地局ＮｏｄｅＢにおける最大許容受信電力、及び、ＳＧごとのＤＰＣＣＨにおける目標ＳＩＲに基づいて、次のスケジューリング区間におけるスケジューリング対象の移動局に対して通知すべきＳＧを決定するように構成されている。【選択図】図８
2011004136.tif 000002
【特許請求の範囲】
【請求項１】
無線基地局であって、
各スケジューリング区間において、１つの移動局を、スケジューリング対象の移動局として決定し、該スケジューリング対象の移動局に対して通知すべきスケジューリング許可情報を決定するように構成されているスケジューリング部と、
スケジューリング対象の移動局を切り替える際に、次のスケジューリング区間におけるスケジューリング対象の第１移動局に対して、前記スケジューリング部によって決定された第１スケジューリング許可情報を送信し、現在のスケジューリング区間におけるスケジューリング対象の第２移動局に対して、該次のスケジューリング区間において上りデータの送信を停止するように指示する第２スケジューリング許可情報を送信するように構成されているスケジューリング許可情報送信部と、
スケジューリング許可情報ごとの個別物理制御チャネルにおける目標受信品質を管理するように構成されている目標受信品質管理部と、
前記スケジューリング許可情報ごとの個別物理制御チャネルにおける目標受信品質を満たすために必要な個別物理制御チャネルにおける所要受信品質を算出するように構成されている算出部とを具備し、
前記スケジューリング部は、前記第１スケジューリング許可情報の決定時の前記無線基地局における最大許容受信電力及び前記スケジューリング許可情報ごとの個別物理制御チャネルにおける所要受信品質に基づいて、該第１スケジューリング許可情報を決定するように構成されていることを特徴とする無線基地局。
【請求項２】
前記算出部は、前記第１スケジューリング許可情報の決定時の前記無線基地局における干渉電力及び前記スケジューリング許可情報ごとの個別物理制御チャネルにおける目標受信品質に基づいて、スケジューリング許可情報ごとの個別物理制御チャネルにおける所要受信品質を算出するように構成されていることを特徴とする請求項１に記載の無線基地局。
【請求項３】
前記目標受信品質管理部において、前記スケジューリング許可情報ごとの個別物理制御チャネルにおける目標受信品質は、上限値と下限値との間の値として設定されており、
特定のスケジューリング許可情報に対応する個別物理制御チャネルにおける目標受信品質の下限値が、前記第２スケジューリング情報に対応する個別物理制御チャネルにおける目標受信品質よりも大きい場合、前記スケジューリング部は、該特定のスケジューリング許可情報に対応する個別物理制御チャネルにおける目標受信品質として、該特定のスケジューリング許可情報に対応する個別物理制御チャネルにおける目標受信品質の上限値を用いるように構成されており、
特定のスケジューリング許可情報に対応する個別物理制御チャネルにおける目標受信品質の下限値が、前記第２スケジューリング情報に対応する個別物理制御チャネルにおける目標受信品質よりも小さい場合、前記スケジューリング部は、該特定のスケジューリング許可情報に対応する個別物理制御チャネルにおける目標受信品質として、該特定のスケジューリング許可情報に対応する個別物理制御チャネルにおける目標受信品質の下限値を用いるように構成されていることを特徴とする請求項１又は２に記載の無線基地局。
【発明の詳細な説明】
【技術分野】
【０００１】
本発明は、無線基地局に関する。
【背景技術】
【０００２】
３ＧＰＰにおいて、「ＥＵＬ（Ｅｎｈａｎｃｅｄ  Ｕｐｌｉｎｋ）」或いは「ＨＳＵＰＡ（Ｈｉｇｈ-Ｓｐｅｅｄ  Ｕｐｌｉｎｋ  Ｐａｃｋｅｔ  Ａｃｃｅｓｓ）」と呼ばれる高速上り通信が規定されている。
【０００３】
ＥＵＬ通信では、移動局ＵＥが、無線基地局ＮｏｄｅＢに対して、高速上り通信用データチャネル（Ｅ-ＤＰＤＣＨ：Ｅｎｈａｎｃｅｄ-Ｄｅｄｉｃａｔｅｄ  Ｐｈｙｓｉｃａｌ  Ｄａｔａ  Ｃｈａｎｎｅｌ）を介して、データ信号（ＭＡＣ-ｅ  ＰＤＵ）を送信するように構成されている。
【０００４】
具体的には、ＥＵＬ通信では、無線基地局ＮｏｄｅＢが、各時間スロット（ＴＴＩ：Ｔｒａｎｓｍｉｓｓｉｏｎ  Ｔｉｍｅ  Ｉｎｔｅｒｖａｌ）において、スケジューリング対象の移動局ＵＥを決定し、かかるスケジューリング対象の移動局ＵＥに対して、スケジューリング許可情報（ＡＧ：Ａｂｓｏｌｕｔｅ  Ｇｒａｎｔ、ＲＧ：Ｒｅｌａｔｉｖｅ  Ｇｒａｎｔ）を送信するように構成されている。
【０００５】
そして、各時間スロットにおけるスケジューリング対象の移動局ＵＥは、Ｅ-ＤＰＤＣＨを介して、無線基地局ＮｏｄｅＢから受信したスケジューリング許可情報（ＡＧ）に対応するサイズ（ＴＢＳ：Ｔｒａｎｓｐｏｒｔ  Ｂｌｏｃｋ  Ｓｉｚｅ）のＭＡＣ-ｅ  ＰＤＵを送信するように構成されている。
【０００６】
ここで、各時間スロットにおけるスケジューリング対象の移動局ＵＥは、かかるＡＧに対応する「Ｅ-ＤＰＤＣＨと一般上り通信用個別制御チャネル（ＤＰＣＣＨ：Ｄｅｄｉｃａｔｅｄ  Ｐｈｙｓｉｃａｌ  Ｃｏｎｔｒｏｌ  Ｃｈａｎｎｅｌ）との送信電力比（或いは、送信振幅比）」に基づいて決定された送信電力（送信振幅）によって、Ｅ-ＤＰＤＣＨを介してＭＡＣ-ｅ  ＰＤＵを送信するように構成されている。
【０００７】
また、「Ｔｉｍｅ  ａｎｄ  Ｒａｔｅ」方式のＥＵＬ通信では、１つの移動局ＵＥのみが、各スケジューリング割り当て区間におけるスケジューリング対象の移動局ＵＥとなるように構成されている。
【先行技術文献】
【非特許文献】
【０００８】
【非特許文献１】３ＧＰＰ  ＴＳ２５.３０９  Ｖ６.５.０、２００５年１２月
【発明の概要】
【発明が解決しようとする課題】
【０００９】
しかしながら、上述の「Ｔｉｍｅ  ａｎｄ  Ｒａｔｅ」方式のＥＵＬにおいて、無線基地局ＮｏｄｅＢが、スケジューリング対象の移動局ＵＥを切り替える際、どのようなスケジューリング許可情報（ＡＧ）を送信すべきかについて決定されていないという問題があった。
【００１０】
そこで、本発明は、上述の課題に鑑みてなされたものであり、「Ｔｉｍｅ  ａｎｄ  Ｒａｔｅ」方式のＥＵＬ通信において、スケジューリング対象の移動局ＵＥを切り替える際に、次のスケジューリング割り当て区間におけるスケジューリング対象の移動局ＵＥに対して適切なスケジューリング許可情報を通知することができる無線基地局を提供することを目的とする。
【課題を解決するための手段】
【００１１】
本発明の第１の特徴は、無線基地局であって、各スケジューリング区間において、１つの移動局を、スケジューリング対象の移動局として決定し、該スケジューリング対象の移動局に対して送信すべきスケジューリング許可情報を決定するように構成されているスケジューリング部と、スケジューリング対象の移動局を切り替える際に、次のスケジューリング区間におけるスケジューリング対象の第１移動局に対して、前記スケジューリング部によって決定された第１スケジューリング許可情報を送信し、現在のスケジューリング区間におけるスケジューリング対象の第２移動局に対して、該次のスケジューリング区間において上りデータの送信を停止するように指示する第２スケジューリング許可情報を送信するように構成されているスケジューリング許可情報送信部と、スケジューリング許可情報ごとの個別物理制御チャネルにおける目標受信品質を管理するように構成されている目標受信品質管理部と、前記スケジューリング許可情報ごとの個別物理制御チャネルにおける目標受信品質を満たすために必要な個別物理制御チャネルにおける所要受信品質を算出するように構成されている算出部とを具備し、前記スケジューリング部は、前記第１スケジューリング許可情報の決定時の前記無線基地局における最大許容受信電力及び前記スケジューリング許可情報ごとの個別物理制御チャネルにおける所要受信品質に基づいて、該第１スケジューリング許可情報を決定するように構成されていることを要旨とする。
【発明の効果】
【００１２】
以上説明したように、本発明によれば、「Ｔｉｍｅ  ａｎｄ  Ｒａｔｅ」方式のＥＵＬ通信において、スケジューリング対象の移動局ＵＥを切り替える際に、次のスケジューリング割り当て区間におけるスケジューリング対象の移動局ＵＥに対して適切なスケジューリング許可情報を通知することができる無線基地局を提供することができる。
【図面の簡単な説明】
【００１３】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局における目標ＳＩＲ管理部の管理内容の一例を示す図である。
【図４】本発明の第１の実施形態に係る無線基地局において使用する目標ＳＩＲの決定方法の一例について示す図である。
【図５】本発明の第１の実施形態に係る無線基地局においてＳＧの決定方法について示す図である。
【図６】本発明の第１の実施形態に係る無線基地局においてＳＧの決定方法について示す図である。
【図７】本発明の第１の実施形態に係る無線基地局の動作を示すフローチャートである。
【図８】従来の無線基地局の問題点を説明するための図である。
【図９】従来の無線基地局の問題点を説明するための図である。
【発明を実施するための形態】
【００１４】
（本発明の第１の実施形態に係る移動通信システムの構成）
図１乃至図６を参照して、本発明の第１の実施形態に係る移動通信システムの構成について説明する。
【００１５】
図１に示すように、本実施形態に係る移動通信システムは、無線基地局ＮｏｄｅＢと移動局ＵＥとの間で、「Ｔｉｍｅ  ａｎｄ  Ｒａｔｅ」方式のＥＵＬ通信を提供することができるように構成されている。
【００１６】
すなわち、本実施形態に係る移動通信システムでは、無線基地局ＮｏｄｅＢと移動局ＵＥとの間で、下りチャネルとして、絶対的許可チャネル（Ｅ-ＡＧＣＨ：Ｅ-ＤＣＨ  Ａｂｓｏｌｕｔｅ  Ｇｒａｎｔ  Ｃｈａｎｎｅｌ）や相対的許可チャネル（Ｅ-ＲＧＣＨ：Ｅ-ＤＣＨ  Ｒｅｌａｔｉｖｅ  Ｇｒａｎｔ  Ｃｈａｎｎｅｌ）等が設定可能であり、上りチャネルとして、高速上り通信用データチャネル（Ｅ-ＤＰＤＣＨ：Ｅ-ＤＣＨ  Ｄｅｄｉｃａｔｅｄ  Ｐｈｙｓｉｃａｌ  Ｄａｔａ  Ｃｈａｎｎｅｌ）や高速上り通信用制御チャネル（Ｅ-ＤＰＣＣＨ：Ｅ-ＤＣＨ  Ｄｅｄｉｃａｔｅｄ  Ｐｈｙｓｉｃａｌ  Ｃｏｎｔｒｏｌ  Ｃｈａｎｎｅｌ）や上り制御チャネル（ＤＰＣＣＨ：Ｄｅｄｉｃａｔｅｄ  Ｐｈｙｓｉｃａｌ  Ｃｏｎｔｒｏｌ  Ｃｈａｎｎｅｌ）等が設定可能である。
【００１７】
ここで、移動局ＵＥは、無線基地局ＮｏｄｅＢによってＥ-ＡＧＣＨを介して送信されたＡＧ（Ａｂｓｏｌｕｔｅ  Ｇｒａｎｔ）又は無線基地局ＮｏｄｅＢによってＥ-ＲＧＣＨを介して送信されたＲＧ（Ｒｅｌａｔｉｖｅ  Ｇｒａｎｔ）に基づいて、Ｅ-ＤＰＤＣＨとＤＰＣＣＨとの間の送信電力比を決定し、かかる送信電力比に基づいて、Ｅ-ＤＰＤＣＨにおける送信電力を決定するように構成されている。
【００１８】
図２に示すように、無線基地局ＮｏｄｅＢは、目標ＳＩＲ管理部１１と、ＤＰＣＣＨ送信電力制御部１２と、算出部１３と、スケジューリング部１４と、スケジューリング許可情報送信部１５とを具備している。
【００１９】
目標ＳＩＲ管理部１１は、ＳＧ（Ｓｃｈｅｄｕｌｉｎｇ  Ｇｒａｎｔ、スケジューリング許可情報）ごとのＤＰＣＣＨにおける目標ＳＩＲ（個別物理制御チャネルにおける目標受信品質）を管理するように構成されている。
【００２０】
図３に示すように、目標ＳＩＲ管理部１１は、「ＳＧ（或いは、Ｅ-ＡＧＣＨインデックス）」と「ＤＰＣＣＨにおける目標ＳＩＲ」とを関連付けて記憶するように構成されている。ここで、目標ＳＩＲ管理部１１において、「ＳＧ」ごとの「ＤＰＣＣＨにおける目標ＳＩＲ」は、上限値と下限値との間の値として設定されている。
【００２１】
また、目標ＳＩＲ管理部１１は、「Ｚｅｒｏ  Ｇｒａｎｔ（第２スケジューリング許可情報）」に対応するＤＰＣＣＨにおける目標ＳＩＲを管理するように構成されている。
【００２２】
なお、図４に示すように、特定のＳＧに対応するＤＰＣＣＨにおける目標ＳＩＲの下限値が、「Ｚｅｒｏ  Ｇｒａｎｔ」に対応するＤＰＣＣＨにおける目標ＳＩＲ＃０よりも大きい場合、特定のＳＧに対応するＤＰＣＣＨにおける目標ＳＩＲとして、特定のＳＧに対応するＤＰＣＣＨにおける目標ＳＩＲの上限値が用いられるように構成されていてもよい。
【００２３】
例えば、ＳＧ＃１乃至＃３に対応するＤＰＣＣＨにおける目標ＳＩＲ＃１乃至＃３は、ＳＧ＃１乃至＃３に対応するＤＰＣＣＨにおける目標ＳＩＲ＃１乃至＃３の上限値となるように構成されている。
【００２４】
一方、特定のＡＧに対応するＤＰＣＣＨにおける目標ＳＩＲの下限値が、「Ｚｅｒｏ  Ｇｒａｎｔ」に対応するＤＰＣＣＨにおける目標ＳＩＲ＃０よりも小さい場合、特定のＳＧに対応するＤＰＣＣＨにおける目標ＳＩＲとして、特定のＳＧに対応するＤＰＣＣＨにおける目標ＳＩＲの下限値が用いられるように構成されていてもよい。
【００２５】
例えば、ＳＧ＃４及び＃５に対応するＤＰＣＣＨにおける目標ＳＩＲ＃４及び＃５は、ＳＧ＃１乃至＃３に対応するＤＰＣＣＨにおける目標ＳＩＲ＃４及び＃５の下限値となるように構成されている。
【００２６】
ＤＰＣＣＨ送信電力制御部１２は、上りリンクにおけるＤＰＣＣＨに対する送信電力制御を行うように構成されている。
【００２７】
具体的には、ＤＰＣＣＨ送信電力制御部１２は、各移動局ＵＥに対して割り当てられているＳＧに対応する目標ＳＩＲに基づいて、各移動局ＵＥ用のＤＰＣＣＨに対して、インナーループ送信電力制御を行うように構成されている。
【００２８】
算出部１３は、ＳＧごとのＤＰＣＣＨにおける目標ＳＩＲを満たすために必要なＤＰＣＣＨにおける所要ＲＳＳＩ（Ｒｅｃｅｉｖｅｄ  Ｓｉｇｎａｌ  Ｓｔｒｅｎｇｔｈ  Ｉｎｄｉｃａｔｉｏｎ、所要受信品質）を算出するように構成されている。
【００２９】
ここで、図５を参照して、ＳＧごとのＤＰＣＣＨにおける所要ＲＳＳＩを算出する方法について説明する。図５に記載されている各電力は、移動局ＵＥ＃ｊに対して通知すべきＳＧの決定時点における電力である。また、図５では、簡単のため、各電力は、デジベル表記ではなく、真値表記として記載されている。
【００３０】
図５において、「ａｄｊｄｉｆｆＲＴＷＰ」は、無線基地局ＮｏｄｅＢにおけるＡＧＣ（Ａｕｔｏ  Ｇａｉｎ  Ｃｏｎｔｒｏｌ）の性能によって決定されるマージンである。
【００３１】
「ｓｅｐ」は、移動通信システム内で共通に規定されているＥ-ＤＣＨ電力（Ｅ-ＤＰＣＣＨの送信電力とＥ-ＤＰＣＣＨとの送信電力との和）であり、「ｓＲｓｓｉ［ｊ］」は、次のスケジューリング区間におけるスケジューリング対象の移動局ＵＥ＃ｊ用のＤＰＣＣＨにおけるＲＳＳＩの観測値であり、「ｓＲｓｓｉ０［ｊ］」は、次のスケジューリング区間におけるスケジューリング対象の移動局ＵＥ＃ｊ用のＤＰＣＣＨにおける所要ＲＳＳＩである。
【００３２】
「Ｉ」は、無線基地局ＮｏｄｅＢにおける干渉電力であり、「ｔＲＴＷＰ」は、無線基地局ＮｏｄｅＢにおける送受信電力であり、「ｒｔｗｐ_ｍａｒｇｉｎ」は、次のスケジューリング区間におけるスケジューリング対象の移動局ＵＥ＃ｊに割り当て可能なＥ-ＤＣＨ電力である。
【００３３】
具体的には、算出部１３は、（式１）によって、移動局ＵＥ＃ｊについてのＳＧごとのＤＰＣＣＨにおける所要ＲＳＳＩ「ｓＲｓｓｉ０［ｊ］」を算出するように構成されている。
【００３４】
ｓＲｓｓｉ０［ｊ］＝ｔＳＩＲ［ｔ］×Ｉ/ｄｐｃｃｈＳＦ、すなわち、  
ｓＲｓｓｉ０［ｊ］＝ｔＳＩＲ［ｔ］×（ｔＲＴＷＰ−ｓｅｐ−ｓＲｓｓｉ［ｊ］）/ｄｐｃｃｈＳＦ  …  （式１）
ここで、「ｔＳＩＲ［ｔ］」は、ＳＧ＃ｔに対応するＥ-ＡＧＣＨインデックス「ｔ（３１以下の整数）」に対応するＤＰＣＣＨにおける目標ＳＩＲであり、「ｄｐｃｃｈＳＦ」は、ＤＰＣＣＨにおける拡散率である。
【００３５】
すなわち、算出部１３は、ＳＧの決定時の無線基地局ＮｏｄｅＢにおける干渉電力「Ｉ」及びＳＧごとのＤＰＣＣＨにおける目標ＳＩＲ「ｔＳＩＲ［ｔ］」に基づいて、ＳＧごとのＤＰＣＣＨにおける所要ＲＳＳＩを算出するように構成されている。
【００３６】
スケジューリング部１４は、各スケジューリング区間において、スケジューリング対象の移動局ＵＥ、及び、かかるスケジューリング対象の移動局ＵＥに対して通知すべきＳＧ（スケジューリング許可情報）を決定するように構成されている。
【００３７】
「Ｔｉｍｅ  ａｎｄ  Ｒａｔｅ」方式のＥＵＬ通信が行われている場合、スケジューリング部１４は、各スケジューリング区間において、１つの移動局ＵＥを、スケジューリング対象の移動局ＵＥとして決定し、かかるスケジューリング対象の移動局に対して通知すべきＳＧを決定するように構成されている。
【００３８】
具体的には、スケジューリング部１４は、（式２）を満たす最大のＥ-ＡＧＣＨインデックス「ｔ」に対応するＳＧを、かかるスケジューリング対象の移動局に対して通知すべきＳＧを決定するように構成されていてもよい。
【００３９】
（ＴａｂｌｅＯｆＡＧ［ｔ］＋βｅｃ２）×ｓＲｓｓｉ０［ｊ］＜ｒｔｗｐ_ｍａｒｇｉｎ＋ｓＲｓｓｉ［ｊ］−ｓＲｓｓｉ０［ｊ］、すなわち、
（ＴａｂｌｅＯｆＡＧ［ｔ］＋βｅｃ２＋１）×ｔＳＩＲ［ｔ］×Ｉ/ｄｐｃｃｈＳＦ−ｓＲｓｓｉ［ｊ］＜ｒｔｗｐ_ｍａｒｇｉｎ  …  （式２）
ここで、「ＴａｂｌｅＯｆＡＧ［ｔ］」は、ＳＧ＃ｔに対応するＥ-ＡＧＣＨインデックス「ｔ」に対応するＥ-ＤＰＤＣＨとＤＰＣＣＨとの送信電力比であり、「βｅｃ２」は、Ｅ-ＤＰＣＣＨとＤＰＣＣＨとの送信電力比である。
【００４０】
すなわち、図６に示すように、スケジューリング部１４は、ＳＧの決定時の無線基地局ＮｏｄｅＢにおける最大許容受信電力「ｒｔｗｐ_ｍａｒｇｉｎ＋ｓＲｓｓｉ［ｊ］−ｓＲｓｓｉ０［ｊ］」及びＳＧごとのＤＰＣＣＨにおける所要ＲＳＳＩ「ｓＲｓｓｉ０［ｊ］」に基づいて、ＳＧ（第１スケジューリング許可情報）を決定するように構成されている。
【００４１】
図６の例では、スケジューリング部１４は、ＳＧ＃３を、かかるスケジューリング対象の移動局に対して通知すべきＳＧを決定するように構成されている。
【００４２】
（本発明の第１の実施形態に係る移動通信システムの動作）
以下、図７を参照して、本実施形態に係る移動通信システムの動作について、具体的には、本実施形態に係る無線基地局ＮｏｄｅＢの動作について説明する。
【００４３】
図７に示すように、ステップＳ１０１において、無線基地局ＮｏｄｅＢは、次のスケジューリング区間におけるスケジューリング対象の移動局ＵＥを、現在のスケジューリング区間におけるスケジューリング対象の移動局ＵＥから切り替えるべきか否かについて判定する。
【００４４】
無線基地局ＮｏｄｅＢは、次のスケジューリング区間におけるスケジューリング対象の移動局ＵＥを切り替えるべきであると判定した場合に、ステップＳ１０２の動作を行い、次のスケジューリング区間におけるスケジューリング対象の移動局ＵＥを切り替えるべきでないと判定した場合に、ステップＳ１０１の動作を繰り返す。
【００４５】
ステップＳ１０２において、無線基地局ＮｏｄｅＢは、上述のように、ＳＧごとのＤＰＣＣＨにおける所要ＲＳＳＩを算出する。
【００４６】
ステップＳ１０３において、無線基地局ＮｏｄｅＢは、上述のように、ＳＧごとのＤＰＣＣＨにおける所要ＲＳＳＩ、及び、現時点（ＳＧの決定時）の無線基地局ＮｏｄｅＢにおける最大許容受信電力に基づいて、次のスケジューリング区間におけるスケジューリング対象の移動局ＵＥに通知すべきＳＧを決定する。
【００４７】
ステップＳ１０４において、無線基地局ＮｏｄｅＢは、所定タイミングで、Ｅ-ＡＧＣＨを介して、次のスケジューリング区間におけるスケジューリング対象の移動局ＵＥに対して、ステップＳ１０３において決定されたＳＧに対応するＡＧを送信し、現在のスケジューリング区間におけるスケジューリング対象の移動局ＵＥに対して、「Ｚｅｒｏ  Ｇｒａｎｔ」を送信する。
【００４８】
（本発明の第１の実施形態に係る移動通信システムの作用・効果）
本発明の第１の実施形態に係る移動通信システムによれば、「Ｔｉｍｅ  ａｎｄ  Ｒａｔｅ」方式のＥＵＬ通信において、スケジューリング対象の移動局ＵＥを切り替える際に、次のスケジューリング割り当て区間におけるスケジューリング対象の移動局ＵＥに対して適切なスケジューリング許可情報を通知することができる。
【００４９】
ＥＵＬ通信では、通信品質を保つために、それぞれのＳＧに従って、異なるＤＰＣＣＨにおける目標ＳＩＲが設定されている。
【００５０】
ここで、次のスケジューリング区間におけるスケジューリング対象の移動局ＵＥに対して通知すべきＳＧを、「Ｚｅｒｏ  Ｇｒａｎｔ」に対応するＤＰＣＣＨにおける目標ＳＩＲ（すなわち、ＤＰＣＣＨにおける所要ＲＳＳＩ）に基づいて決定すると、以下のような不具合が発生する可能性がある。
【００５１】
図８に示すように、次のスケジューリング区間におけるスケジューリング対象の移動局ＵＥに対して通知すべきＳＧとして決定されたＳＧ＃１に対応するＤＰＣＣＨにおける所要ＲＳＳＩ（目標ＳＩＲ）が、「Ｚｅｒｏ  Ｇｒａｎｔ」に対応するＤＰＣＣＨにおける所要ＲＳＳＩ（目標ＳＩＲ）よりも大きい場合、次のスケジューリング区間の開始時に、ＤＰＣＣＨにおけるＳＩＲ（「Ｚｅｒｏ  Ｇｒａｎｔ」に対応）の実績値が、ＤＰＣＣＨにおける目標ＳＩＲ（ＳＧ＃１に対応）を下回っていると判定される。
【００５２】
その結果、インナーループ送信電力制御によって、ＤＰＣＣＨにおける送信電力が急激に上昇すると共に、Ｅ-ＤＰＤＣＨにおける送信電力も上昇してしまうため、Ｅ-ＤＰＤＣＨにおけるＲＳＳＩの実績値が、Ｅ-ＤＰＤＣＨの最大許容受信電力を超えてしまうという不具合が発生する可能性がある。
【００５３】
一方、図９に示すように、次のスケジューリング区間におけるスケジューリング対象の移動局ＵＥに対して通知すべきＳＧとして決定されたＳＧ＃１に対応するＤＰＣＣＨにおける所要ＲＳＳＩ（目標ＳＩＲ）が、「Ｚｅｒｏ  Ｇｒａｎｔ」に対応するＤＰＣＣＨにおける所要ＲＳＳＩ（目標ＳＩＲ）よりも小さい場合、次のスケジューリング区間の開始時に、ＤＰＣＣＨにおけるＳＩＲ（「Ｚｅｒｏ  Ｇｒａｎｔ」に対応）の実績値が、ＤＰＣＣＨにおける目標ＳＩＲ（ＳＧ＃１に対応）を上回っていると判定される。
【００５４】
その結果、インナーループ送信電力制御によって、ＤＰＣＣＨにおける送信電力が急激に減少すると共に、Ｅ-ＤＰＤＣＨにおける送信電力も減少してしまうため、Ｅ-ＤＰＤＣＨにおけるＲＳＳＩの実績値が、Ｅ-ＤＰＤＣＨの最大許容受信電力を下回ってしまい、本来割当可能なＳＧを割り当てることができず、リソースを効率的に利用することができないという不具合が発生する可能性がある。
【００５５】
したがって、本発明の第１の実施形態に係る移動通信システムを用いることによって、これらの不具合を解消することができる。
【００５６】
以上に述べた本実施形態の特徴は、以下のように表現されていてもよい。
【００５７】
本実施形態の第１の特徴は、無線基地局ＮｏｄｅＢであって、各スケジューリング区間において、１つの移動局ＵＥを、スケジューリング対象の移動局として決定し、スケジューリング対象の移動局に対して通知すべきＳＧ（スケジューリング許可情報）を決定するように構成されているスケジューリング部１４と、スケジューリング対象の移動局を切り替える際に、次のスケジューリング区間におけるスケジューリング対象の第１移動局ＵＥ＃１に対して、スケジューリング部１４によって決定されたＳＧ（第１スケジューリング許可情報）を通知し、現在のスケジューリング区間におけるスケジューリング対象の第２移動局ＵＥ＃２に対して、次のスケジューリング区間において上りデータ（ＭＡＣ-ｅ  ＰＤＵ）の送信を停止するように指示する「Ｚｅｒｏ  Ｇｒａｎｔ（第２スケジューリング許可情報）」を送信するように構成されているスケジューリング許可情報送信部１５と、ＳＧ（スケジューリング許可情報）ごとのＤＰＣＣＨにおける目標ＳＩＲ（個別物理制御チャネルにおける目標受信品質）を管理するように構成されている目標ＳＩＲ管理部１１と、ＳＧごとのＤＰＣＣＨにおける目標ＳＩＲを満たすために必要なＤＰＣＣＨにおける所要ＲＳＳＩ（個別物理制御チャネルにおける所要受信品質）を算出するように構成されている算出部１３とを具備し、スケジューリング部１４は、ＳＧ（第１スケジューリング許可情報）の決定時の無線基地局ＮｏｄｅＢにおける最大許容受信電力及びＳＧごとのＤＰＣＣＨにおける所要ＲＳＳＩに基づいて、ＳＧ（第１スケジューリング許可情報）を決定するように構成されていることを要旨とする。
【００５８】
本実施形態の第１の特徴において、算出部１３は、ＳＧ（第１スケジューリング許可情報）の決定時の無線基地局ＮｏｄｅＢにおける干渉電力及びＳＧごとのＤＰＣＣＨにおける目標ＳＩＲに基づいて、ＳＧごとのＤＰＣＣＨにおける所要ＲＳＳＩを算出するように構成されていてもよい。
【００５９】
本実施形態の第１の特徴において、目標ＳＩＲ管理部１１において、ＳＧごとのＤＰＣＣＨにおける目標ＳＩＲは、上限値と下限値との間の値として設定されており、特定のＳＧに対応するＤＰＣＣＨにおける目標ＳＩＲの下限値が、「Ｚｅｒｏ  Ｇｒａｎｔ」に対応するＤＰＣＣＨにおける目標ＳＩＲよりも大きい場合、スケジューリング部１４は、特定のＳＧに対応するＤＰＣＣＨにおける目標ＳＩＲとして、特定のＳＧに対応するＤＰＣＣＨにおける目標ＳＩＲの上限値を用いるように構成されており、特定のＡＧに対応するＤＰＣＣＨにおける目標ＳＩＲの下限値が、「Ｚｅｒｏ  Ｇｒａｎｔ」に対応するＤＰＣＣＨにおける目標ＳＩＲよりも小さい場合、スケジューリング部１４は、特定のＳＧに対応するＤＰＣＣＨにおける目標ＳＩＲとして、特定のＳＧに対応するＤＰＣＣＨにおける目標ＳＩＲの下限値を用いるように構成されていてもよい。
【００６０】
なお、上述の無線基地局ＮｏｄｅＢ及び移動局ＵＥの動作は、ハードウェアによって実施されてもよいし、プロセッサによって実行されるソフトウェアモジュールによって実施されてもよいし、両者の組み合わせによって実施されてもよい。
【００６１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＮｏｄｅＢ及び移動局ＵＥ内に設けられていてもよい。また、かかる記憶媒体及びプロセッサは、ディスクリートコンポーネントとして無線基地局ＮｏｄｅＢ及び移動局ＵＥ内に設けられていてもよい。
【００６３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６４】
ＮｏｄｅＢ…無線基地局
１１…目標ＳＩＲ管理部
１２…ＤＰＣＣＨ送信電力制御部
１３…算出部
１４…スケジューリング部
１５…スケジューリング許可情報送信部
【図１】
2011004136.tif 000003
【図２】
2011004136.tif 000004
【図３】
2011004136.tif 000005
【図４】
2011004136.tif 000006
【図５】
2011004136.tif 000007
【図６】
2011004136.tif 000008
【図７】
2011004136.tif 000009
【図８】
2011004136.tif 000010
【図９】
2011004136.tif 000011